(57)【特許請求の範囲】
【請求項１】
現在の日付を獲得する獲得手段と、
ユーザによって登録される友人ＩＤとその登録期間とを記憶する記憶手段と、
前記獲得手段によって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成手段と、
前記本日ページで前記ユーザが選択したブログの記事を送信する送信手段と、を備え、
前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能したことを特徴とするログ情報提供装置。
【請求項２】
前記生成手段は、前記本日ページにおいて、前記獲得手段によって獲得された現在の日付に対応する前年以前の日付に前記ユーザ本人が投稿したブログの記事のうち、何年前の記事を閲覧するかを選択可能とし、
前記本日ページには、前記友人ボタンに加え、本人ボタンが配置され、当該本人ボタンが指定されると西暦年が展開し、前記ユーザ本人が投稿したブログの記事を選択可能としたことを特徴とする請求項１記載のログ情報提供装置。
【請求項３】
前記生成手段による前記本日ページの生成と並行して、前記獲得手段によって獲得された現在の日付に対応する前年以前の日付に前記ユーザ本人又は前記ユーザの友人が投稿したブログの記事を収集する収集手段を備え、
前記送信手段は、前記収集手段によって収集されたブログの記事のうち、前記本日ページでユーザが選択したブログの記事を送信することを特徴とする請求項２に記載のログ情報提供装置。
【請求項４】
コンピュータが実行するログ情報提供方法であって、前記コンピュータが、
現在の日付を獲得する獲得ステップと、
ユーザによって登録される友人ＩＤとその登録期間とを記憶手段に記憶する記憶ステップと、
前記獲得ステップによって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成ステップと、
前記本日ページで前記ユーザが選択したブログの記事を送信する送信ステップと、を実行し、
前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能したことを特徴とすることを特徴とするログ情報提供方法。
【請求項５】
コンピュータによって実行されるログ情報提供プログラムであって、
前記コンピュータに、
現在の日付を獲得する獲得ステップと、
ユーザによって登録される友人ＩＤとその登録期間とを記憶手段に記憶する記憶ステップと、
前記獲得ステップによって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成ステップと、
前記本日ページで前記ユーザが選択したブログの記事を送信する送信ステップと、
を実行させ、
前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能したことを特徴とすることを特徴とするログ情報提供プログラム。
【発明の詳細な説明】
【技術分野】
【０００１】
本発明は、ログ情報提供装置、ログ情報提供方法、およびログ情報提供プログラムに関し、特に、ユーザに手間をかけさせることなく、ログ情報として蓄積されたコンテンツの再利用を促進することができるログ情報提供装置、ログ情報提供方法、およびログ情報提供プログラムに関する。
【背景技術】
【０００２】
近年、急速に発展しつつあるインターネット業界においては、独自のポータルサイトを運営するインターネット事業者が数多く存在している。各インターネット事業者は、自社のポータルサイトへのアクセス数を増加させるべく、様々なサービス向上に努めている。具体的に、多くのポータルサイトには、ユーザごとのスケジュール管理やウェブメール送受信などの機能が備えられており、ユーザは、ポータルサイトを利用して個人情報を閲覧したり管理したりすることができるようになっている。
【０００３】
また、最近では、ブログと呼ばれる日記形式のコンテンツがインターネット上に多く公開されており、他人のブログにコメントを残したり自分のブログとの相互リンクを設けたりして、インターネット上でのユーザ間の交流が図られている。このため、ポータルサイトの中には、アクセス数が多く人気があるブログへのリンクが設けられているものもある。また、例えば特許文献１には、任意のキーワードや時事ニュースに関連する検索の結果、上位にランキングされるブログが収集され、収集されたブログに関する情報がユーザのポータルサイト上で提供される技術が開示されている。
【０００４】
【特許文献１】特開２００７−３３４８０３号公報
【発明の開示】
【発明が解決しようとする課題】
【０００５】
しかしながら、ポータルサイトを利用して提供される多くのコンテンツは、ユーザによって一時的に閲覧されるのみであり、ログ情報としてデータベースに蓄積されているにも拘らず、再利用される機会が少ないという問題がある。すなわち、ユーザのスケジュールやウェブメールなどは、主に実際に予定が登録された日時やメール送受信時には閲覧されるものの、その後は、ログ情報として蓄積されたまま閲覧されることが少ない。
【０００６】
同様に、ブログについては、日記形式であるため、最近投稿された記事は閲覧されるものの、過去に投稿された記事は閲覧される頻度が低下してしまう。また、たとえユーザが自分または他人のブログの過去の記事を閲覧するにしても、無作為に記事を選択して閲覧することは少ないと考えられ、ユーザの関心事に関連するキーワードを入力して記事を検索するなどの手間をかける必要がある。
【０００７】
このように、日時に関連付けられた多くのコンテンツは、インターネット上に公開されても、ユーザによって実際に閲覧される期間が比較的短期間であり、その後は、ログ情報としてデータベースに蓄積されるだけとなることが多い。
【０００８】
本発明はかかる点に鑑みてなされたものであり、ユーザに手間をかけさせることなく、ログ情報として蓄積されたコンテンツの再利用を促進することができるログ情報提供装置、ログ情報提供方法、およびログ情報提供プログラムを提供することを目的とする。
【課題を解決するための手段】
【０００９】
上記課題を解決するために、本発明に係るログ情報提供装置は、現在の日付を獲得する獲得手段と、ユーザによって登録される友人ＩＤとその登録期間とを記憶する記憶手段と、前記獲得手段によって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成手段と、前記本日ページで前記ユーザが選択したブログの記事を送信する送信手段と、を備え、前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能した構成を採る。
【００１０】
この構成によれば、ユーザがキーワードによる検索などの特別な操作をしなくても、ユーザによって登録された友人のブログの記事のうち、ユーザの希望に応じた友人および西暦年のブログの記事を提供することができ、ユーザに手間をかけさせることなく、友人のブログの記事として蓄積されたコンテンツの再利用を促進することができる。しかも、ユーザは、年ごとに登録されていた友人ＩＤを選択して、実際に友人となっている期間のみの友人のブログを閲覧することができる。
【００１１】
また、本発明に係るログ情報提供装置は、上記構成において、前記生成手段は、前記本日ページにおいて、前記獲得手段によって獲得された現在の日付に対応する前年以前の日付に前記ユーザ本人が投稿したブログの記事のうち、何年前の記事を閲覧するかを選択可能とし、前記本日ページには、前記友人ボタンに加え、本人ボタンが配置され、当該本人ボタンが指定されると西暦年が展開し、前記ユーザ本人が投稿したブログの記事を選択可能とした構成を採る。
【００１２】
この構成によれば、ユーザによって登録される友人のブログの記事のみではなく、ユーザ本人のブログの記事を提供することができ、よりユーザの関心を引く形でログ情報を提供することができる。また、ユーザは、容易に閲覧を希望するユーザ本人のブログの記事を指定することができ、ブログの記事を閲覧するためのユーザの手間をさらに削減することができる。
【００１３】
また、本発明に係るログ情報提供装置は、上記構成において、前記生成手段による前記本日ページの生成と並行して、前記獲得手段によって獲得された現在の日付に対応する前年以前の日付に前記ユーザ本人又は前記ユーザの友人が投稿したブログの記事を収集する収集手段を備え、前記送信手段は、前記収集手段によって収集されたブログの記事のうち、前記本日ページでユーザが選択したブログの記事を送信する構成を採る。
【００２５】
また、本発明に係るログ情報提供方法は、コンピュータが実行するログ情報提供方法であって、前記コンピュータが、現在の日付を獲得する獲得ステップと、ユーザによって登録される友人ＩＤとその登録期間とを記憶手段に記憶する記憶ステップと、前記獲得ステップによって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成ステップと、前記本日ページで前記ユーザが選択した友人のブログの記事を送信する送信ステップと、を実行し、前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能した。
【００２６】
また、本発明に係るログ情報提供プログラムは、コンピュータによって実行されるログ情報提供プログラムであって、前記コンピュータに、ユーザによって登録される友人ＩＤとその登録期間とを記憶手段に記憶する記憶ステップと、現在の日付を獲得する獲得ステップと、前記獲得ステップによって獲得された現在の日付に対応する前年以前の日付に前記ユーザの友人が投稿したブログの記事のうち、どの友人の何年前の記事を閲覧するかを選択可能な本日ページを、前記記憶手段に記憶された友人ＩＤとその登録期間とに基づいて生成する生成ステップと、前記本日ページで前記ユーザが選択した友人のブログの記事を送信する送信ステップと、を実行させ、前記本日ページには、友人ボタンが配置され、当該友人ボタンが指定されると西暦年が展開し、さらに、西暦年が指定されると当該指定された西暦年に前記登録期間が対応する友人ＩＤが展開して、前記ユーザの友人が投稿したブログの記事を選択可能した。
【００２７】
これらによれば、ユーザがキーワードによる検索などの特別な操作をしなくても、現在の日付に対応する過去のログ情報が収集され、収集されたログ情報の中からユーザの希望に応じたログ情報を提供することができ、ユーザに手間をかけさせることなく、ログ情報として蓄積されたコンテンツの再利用を促進することができる。
【発明の効果】
【００２８】
本発明によれば、ユーザに手間をかけさせることなく、ログ情報として蓄積されたコンテンツの再利用を促進することができる。
【発明を実施するための最良の形態】
【００２９】
本発明の骨子は、ユーザからの閲覧要求があった場合に、前年以前の今日と同じ日付に関連するユーザ別のログ情報を収集し、ユーザへ提供することである。以下、本発明の一実施の形態について、図面を参照して詳細に説明する。
【００３０】
図１は、一実施の形態に係るネットワーク構成の概要を示すブロック図である。同図に示すネットワーク構成においては、複数のユーザ端末１００−１〜１００−ｍ（ｍは１以上の整数）がネットワークＮを介してログ情報配信サーバ２００に接続されている。そして、ログ情報配信サーバ２００は、メールログデータベース（以下「メールログＤＢ」と略記する）３００−１およびブログログデータベース（以下「ブログログＤＢ」と略記する）３００−２などの複数のデータベースを含むログデータベース群（以下「ログＤＢ群」と略記する）３００に接続されている。なお、ここでは説明の便宜上、ログＤＢ群３００内の各データベースがログ情報配信サーバ２００に接続されるものとしたが、実際のネットワーク構成においては、ユーザ端末１００−１〜１００−ｍ、ログ情報配信サーバ２００、およびログＤＢ群３００内の各データベースがそれぞれ互いにネットワークＮを介して接続されていても良い。
【００３１】
ユーザ端末１００−１〜１００−ｍは、ユーザが操作するパーソナルコンピュータや携帯電話などの端末装置であり、少なくともユーザによる操作を受け付ける操作部とディスプレイなどの表示部とを備えている。ユーザ端末１００−１〜１００−ｍは、ユーザ別のスケジュールなどを含むカレンダーを表示部に表示し、表示されたカレンダーを閲覧したユーザが操作部を操作してログ情報の閲覧を要求すると、ユーザのユーザＩＤを含む閲覧要求をネットワークＮを介してログ情報配信サーバ２００へ送信する。そして、ユーザ端末１００−１〜１００−ｍは、ログ情報配信サーバ２００から送信されたログ情報を受信し、表示部に表示する。
【００３２】
ネットワークＮは、インターネットを含むネットワーク網であり、インターネットのほかにも携帯電話網やＬＡＮ（Local Area Network）など、ユーザ端末１００−１〜１００−ｍが接続される種々のネットワークを含んでいる。
【００３３】
ログ情報配信サーバ２００は、ユーザＩＤを含む閲覧要求を受信すると、本日の日付に対応する本日ページであって、前年以前の今日と同じ日付に関連するログ情報のうち閲覧を希望するログ情報の選択を受け付ける本日ページをユーザ端末１００−１〜１００−ｍへ送信する。また、ログ情報配信サーバ２００は、ログＤＢ群３００からユーザ別のログ情報を収集する。そして、ログ情報配信サーバ２００は、ユーザが閲覧を希望するログ情報の選択をユーザ端末１００−１〜１００−ｍから受け付け、選択されたログ情報を含むログページをユーザ端末１００−１〜１００−ｍへ送信する。なお、ログ情報配信サーバ２００の構成および動作については、後に詳述する。
【００３４】
ログＤＢ群３００は、日時に関連付けられたユーザ別の情報をログ情報としてデータベースに蓄積する。具体的には、ログＤＢ群３００は、メールログＤＢ３００−１およびブログログＤＢ３００−２を含んでいる。
【００３５】
メールログＤＢ３００−１は、ユーザが送受信したメールの送受信日時と実際に送受信されたメールのログ情報が格納された位置とをユーザＩＤごとに記憶している。すなわち、メールログＤＢ３００−１は、例えば図２に示すように、それぞれのユーザＩＤに対応付けて、ユーザが送受信したメールのログ情報が格納されたＵＲＬ（Uniform Resource Locator）と送受信日時とを記憶している。図２において、例えばユーザＩＤ「ＡＡＡ」のユーザが受信日時「２００３／４／５  １３：００」に受信した受信メールは、ＵＲＬ「http://www.○○○.0123」に格納されている。
【００３６】
なお、メールログＤＢ３００−１に記憶されるＵＲＬなどが示す位置は、メールログＤＢ３００−１内であっても良いし、外部の装置内であっても良い。換言すれば、メールログＤＢ３００−１は、メールのログ情報そのものを蓄積しても良いし、ログ情報が蓄積されている位置のみを記憶していても良い。
【００３７】
ブログログＤＢ３００−２は、ユーザが投稿したブログの投稿日時と実際に投稿されたブログのログ情報が格納された位置とをユーザＩＤごとに記憶している。すなわち、ブログログＤＢ３００−２は、例えば図３に示すように、それぞれのユーザＩＤに対応付けて、ユーザが投稿したブログのログ情報が格納されたＵＲＬと投稿日時とを記憶している。図３において、例えばユーザＩＤ「ＡＡＡ」のユーザが投稿日時「２００３／４／５  ９：１５」に投稿したブログは、ＵＲＬ「http://www.×××.04051」に格納されている。
【００３８】
なお、ブログログＤＢ３００−２に記憶されるＵＲＬなどが示す位置は、ブログログＤＢ３００−２内であっても良いし、外部の装置内であっても良い。換言すれば、ブログログＤＢ３００−２は、ブログのログ情報そのものを蓄積しても良いし、ログ情報が蓄積されている位置のみを記憶していても良い。
【００３９】
図４は、本実施の形態に係るログ情報配信サーバ２００の要部構成を示すブロック図である。同図に示すログ情報配信サーバ２００は、通信インタフェース部（以下「通信Ｉ／Ｆ部」と略記する）２０１、ユーザＩＤ受付部２０２、日付管理部２０３、友人情報データベース（以下「友人情報ＤＢ」と略記する）２０４、友人ＩＤ抽出部２０５、本日ページ生成部２０６、本人ログ取得部２０７、友人ログ取得部２０８、選択受付部２０９、およびログページ生成部２１０を有している。
【００４０】
通信Ｉ／Ｆ部２０１は、ネットワークＮを介してユーザ端末１００−１〜１００−ｍと通信する。具体的には、通信Ｉ／Ｆ部２０１は、ログ情報の閲覧要求をユーザ端末１００−１〜１００−ｍから受信すると、前年以前の今日と同じ日付に関連するログ情報のうち閲覧を希望するログ情報の選択を受け付ける本日ページをユーザ端末１００−１〜１００−ｍへ送信する。そして、通信Ｉ／Ｆ部２０１は、閲覧を希望するログ情報の選択をユーザ端末１００−１〜１００−ｍから受信すると、選択されたログ情報を含むログページをユーザ端末１００−１〜１００−ｍへ送信する。
【００４１】
ユーザＩＤ受付部２０２は、通信Ｉ／Ｆ部２０１によってログ情報の閲覧要求が受信されると、閲覧要求に含まれるユーザＩＤを受け付ける。ユーザＩＤ受付部２０２が受け付けるユーザＩＤは、閲覧要求を送信したユーザ端末１００−１〜１００−ｍを操作するユーザのユーザＩＤである。そして、ユーザＩＤ受付部２０２は、受け付けたユーザＩＤを日付管理部２０３へ出力する。
【００４２】
日付管理部２０３は、現在の日付や時刻を管理しており、ユーザＩＤ受付部２０２からユーザＩＤが出力されると、ユーザＩＤとともに本日の日付を友人ＩＤ抽出部２０５へ出力する。すなわち、日付管理部２０３は、ユーザがログ情報の閲覧を要求した本日の日付を友人ＩＤ抽出部２０５へ出力する。
【００４３】
友人情報ＤＢ２０４は、ユーザがあらかじめ登録した友人のユーザを記憶している。すなわち、友人情報ＤＢ２０４は、例えば図５に示すように、ユーザＩＤに対応付けて、ユーザの友人として登録されたユーザのユーザＩＤを友人ＩＤとして記憶している。１人のユーザが複数のユーザを友人として登録することも可能であるため、友人情報ＤＢ２０４は、１つのユーザＩＤに対応付けて、例えば「友人ＩＤ＃１」および「友人ＩＤ＃２」などのように複数の友人ＩＤを記憶することができるようになっている。
【００４４】
友人ＩＤ抽出部２０５は、日付管理部２０３から本日の日付およびユーザＩＤが出力されると、ユーザＩＤに対応する友人ＩＤを友人情報ＤＢ２０４から抽出する。そして、友人ＩＤ抽出部２０５は、抽出した友人ＩＤおよび本日の日付を本日ページ生成部２０６および友人ログ取得部２０８へ出力する。また、友人ＩＤ抽出部２０５は、ログ情報の閲覧を要求したユーザのユーザＩＤおよび本日の日付を本人ログ取得部２０７へ出力する。
【００４５】
本日ページ生成部２０６は、友人ＩＤ抽出部２０５から出力された友人ＩＤおよび本日の日付を用いて、様々なログ情報のうちどのログ情報を閲覧するかをユーザに選択させるための本日ページを生成する。具体的には、本日ページ生成部２０６は、本日の日付をユーザ端末１００−１〜１００−ｍの表示部に表示させるとともに、何年前のログ情報の閲覧を希望するか、本人に関するログ情報および友人に関するログ情報のどちらの閲覧を希望するか、およびメールやブログなどのログ情報のうちどのログ情報の閲覧を希望するかなどを指定可能な本日ページを生成する。したがって、ユーザ端末１００−１〜１００−ｍの表示部に本日ページが表示されると、ユーザは、本日の日付を確認するとともに、ユーザ端末１００−１〜１００−ｍの操作部を操作して、閲覧を希望するログ情報の種別を選択することになる。
【００４６】
本人ログ取得部２０７は、友人ＩＤ抽出部２０５からユーザＩＤおよび本日の日付が出力されると、ログＤＢ群３００内のデータベースからログ情報の閲覧を要求したユーザ本人に関するログ情報を収集する。すなわち、本人ログ取得部２０７は、ログＤＢ群３００内のメールログＤＢ３００−１およびブログログＤＢ３００−２などのデータベースから、閲覧要求に含まれるユーザＩＤに対応し、送受信日時や投稿日時が前年以前の今日に一致するメールやブログなどのログ情報を取得する。このとき、本人ログ取得部２０７は、メールログＤＢ３００−１およびブログログＤＢ３００−２から直接ログ情報を取得しても良いし、これらのデータベースに記憶されたログ情報の位置を参照して外部の装置からログ情報を取得しても良い。
【００４７】
友人ログ取得部２０８は、友人ＩＤ抽出部２０５から友人ＩＤおよび本日の日付が出力されると、ログＤＢ群３００内のデータベースから友人に関するログ情報を収集する。すなわち、友人ログ取得部２０８は、ログＤＢ群３００内のブログログＤＢ３００−２などのデータベースから、友人ＩＤに対応し、投稿日時が前年以前の今日に一致するブログなどのログ情報を取得する。このとき、友人ログ取得部２０８は、ブログログＤＢ３００−２から直接ログ情報を取得しても良いし、ブログログＤＢ３００−２に記憶されたログ情報の位置を参照して外部の装置からログ情報を取得しても良い。
【００４８】
選択受付部２０９は、通信Ｉ／Ｆ部２０１によって閲覧を希望するログ情報の選択が受信されると、この選択を受け付ける。すなわち、選択受付部２０９は、ユーザがユーザ端末１００−１〜１００−ｍの表示部に表示された本日ページにおいて選択したログ情報の種別を受け付ける。
【００４９】
ログページ生成部２１０は、選択受付部２０９によって受け付けられた選択に従って、本人ログ取得部２０７および友人ログ取得部２０８によって取得されたログ情報の中から、ユーザが指定したログ情報を含むログページを生成する。具体的には、ログページ生成部２１０は、例えばユーザが本人の１年前のメールを指定した場合に、本人ログ取得部２０７から１年前の送受信メールを収集し、収集された送受信メールをページ内に配置したログページを生成する。同様に、ログページ生成部２１０は、例えばユーザが友人の２年前のブログを指定した場合に、友人ログ取得部２０８から２年前の友人のブログを収集し、収集されたブログをページ内に配置したログページを生成する。
【００５０】
次いで、上記のように構成されたログ情報配信サーバ２００の動作について、図６に示すフロー図を参照しながら説明する。ここでは、ユーザ端末１００の表示部に例えばユーザ別のカレンダーが表示されており、ユーザが表示画面中の所定のリンクを指定することにより、ログ情報の閲覧要求が送信され、ログ情報配信サーバ２００の通信Ｉ／Ｆ部２０１によって閲覧要求が受信されるものとする。なお、ユーザ別のカレンダーは、例えばポータルサイトのページの一部などに表示されていても良い。
【００５１】
すなわち、例えば図７に示すような画面がユーザ端末１００の表示部に表示されており、ユーザはカレンダー４０１を閲覧しながら、所望の日時に予定を登録する場合にはリンク４０２を指定したり、ブログを投稿する場合にはリンク４０３を指定したりする。そして、ユーザはログ情報の閲覧を希望する場合には、リンク４０４を指定する。リンク４０４は、前年以前の今日と同じ日付に関連するログ情報の閲覧を指定するようになっており、図７においては「「Ｘ年前の今日」を見る」の文字列にリンクが設定されている。リンク４０４が指定されると、ユーザのユーザＩＤを含む閲覧要求がログ情報配信サーバ２００へ送信される。
【００５２】
通信Ｉ／Ｆ部２０１によって閲覧要求が受信されると、ユーザＩＤ受付部２０２によって、閲覧要求に含まれるユーザＩＤが受け付けられる（ステップＳ１０１）。そして、ユーザＩＤは、日付管理部２０３へ出力され、日付管理部２０３によって、本日の日付が取得される（ステップＳ１０２）。ユーザＩＤおよび本日の日付は、友人ＩＤ抽出部２０５へ出力され、友人ＩＤ抽出部２０５によって、ユーザＩＤに対応付けられた友人ＩＤが友人情報ＤＢ２０４から抽出される（ステップＳ１０３）。このとき、友人情報ＤＢ２０４において、複数の友人ＩＤがユーザＩＤに対応付けて記憶されている場合は、友人ＩＤ抽出部２０５によって、ユーザＩＤに対応するすべての友人ＩＤが抽出される。
【００５３】
友人ＩＤ抽出部２０５によって抽出された友人ＩＤは、本日の日付とともに本日ページ生成部２０６および友人ログ取得部２０８へ出力される。そして、本日ページ生成部２０６によって、何年前のログ情報の閲覧を希望するか、本人に関するログ情報および友人に関するログ情報のどちらの閲覧を希望するか、およびメールやブログなどのログ情報のうちどのログ情報の閲覧を希望するかなどを指定可能な本日ページが生成される。具体的には、本日ページ生成部２０６によって、例えば図８に示すような本日ページが生成される。なお、以下の説明においては、必要に応じて本日の日付が２００８年４月５日である場合を例に挙げるものとする。
【００５４】
図８に示す本日ページにおいては、本日の日付「４月５日」が表示されているとともに、ログ情報の種別を指定するボタン５０１〜５０３が配置されている。ブログボタン５０１は、前年以前の今日と同じ日付に本人が投稿したブログを指定するボタンであり、例えばカーソルの移動によりブログボタン５０１が指定されると、前年以前の所定数の西暦年などがページ上に展開し、何年前のブログの閲覧を希望するかが指定可能になっている。また、メールボタン５０２は、前年以前の今日と同じ日付に本人が送受信したメールを指定するボタンであり、例えばカーソルの移動によりメールボタン５０２が指定されると、前年以前の所定数の西暦年などがページ上に展開し、何年前のメールの閲覧を希望するかが指定可能になっている。
【００５５】
さらに、友人ボタン５０３は、前年以前の今日と同じ日付に友人が投稿したブログを指定するボタンであり、例えばカーソルの移動により友人ボタン５０３が指定されると、図８に示すように、まず友人ＩＤ抽出部２０５によって抽出されたすべての友人ＩＤがページ上に展開し、複数の友人のうちどの友人のブログの閲覧を希望するかが指定可能になっている。そして、例えばカーソルの移動によりいずれかの友人ＩＤが指定されると、図８に示すように、前年以前の所定数の西暦年などがページ上に展開し、何年前のブログの閲覧を希望するかが指定可能になっている。
【００５６】
このようなページ構成の本日ページが本日ページ生成部２０６によって生成されると、本日ページは、通信Ｉ／Ｆ部２０１からユーザ端末１００へ送信される（ステップＳ１０４）。そして、ユーザ端末１００の表示部には、上述したページ構成の本日ページが表示される。したがって、ユーザは、本日ページに対する操作を行って、閲覧を希望するログ情報の種別を選択することになる。
【００５７】
一方、ログ情報配信サーバ２００では、本日ページの生成および送信と並行して、実際のログ情報がログＤＢ群３００から取得されている。すなわち、本人ログ取得部２０７によって、閲覧要求を送信したユーザのユーザＩＤに対応するログ情報がメールログＤＢ３００−１およびブログログＤＢ３００−２などのデータベースから取得される（ステップＳ１０５）。同様に、友人ログ取得部２０８によって、友人ＩＤ抽出部２０５によって抽出された友人ＩＤに対応するログ情報がブログログＤＢ３００−２などのデータベースから取得される（ステップＳ１０６）。ここで取得されるログ情報は、いずれも関連する日付が前年以前の今日と同じ日付となっているログ情報であり、例えば送受信日が前年以前の今日に一致するメールや投稿日が前年以前の今日に一致するブログなどが該当する。
【００５８】
ところで、本日ページが表示されたユーザ端末１００では、ユーザが閲覧を希望するログ情報の種別を選択し、選択された種別がログ情報配信サーバ２００へ送信される。ユーザによる選択は、通信Ｉ／Ｆ部２０１によって受信され、選択受付部２０９によって受け付けられる（ステップＳ１０７）。そして、受け付けられた選択は、ログページ生成部２１０へ出力され、ログページ生成部２１０によって、ユーザが本人のログ情報の閲覧を希望しているか否かが判断される（ステップＳ１０８）。
【００５９】
この判断の結果、ユーザが本人のログ情報を選択していれば（ステップＳ１０８Ｙｅｓ）、ログページ生成部２１０によって、本人ログ取得部２０７からユーザが選択したログ情報が収集され、ログページが生成される（ステップＳ１０９）。具体的には、本人ログ取得部２０７によって取得された前年以前の今日と同じ日付に関するメールやブログなどのログ情報のうち、ユーザが選択したログ情報がログページ生成部２１０によって収集され、収集されたログ情報をユーザ端末１００に表示させるログページが生成される。
【００６０】
また、ユーザが友人のログ情報を選択していれば（ステップＳ１０８Ｎｏ）、ログページ生成部２１０によって、友人ログ取得部２０８からユーザが選択したログ情報が収集され、ログページが生成される（ステップＳ１１０）。具体的には、友人ログ取得部２０８によって取得された前年以前の今日と同じ日付に関するブログなどのログ情報のうち、ユーザが選択した友人および年のログ情報がログページ生成部２１０によって収集され、収集されたログ情報をユーザ端末１００に表示させるログページが生成される。したがって、本日の日付が「４月５日」である場合に、ユーザが例えば友人「ＢＢＢ」の「２００３年」のブログの閲覧を選択すると、図９に示すような選択されたログ情報をユーザ端末１００に表示させるログページが生成される。
【００６１】
このようにして生成されたログページは、通信Ｉ／Ｆ部２０１からユーザ端末１００へ送信される（ステップＳ１１１）。そして、ユーザ端末１００では、例えば図９に示したようなログページが表示部に表示され、ユーザは、キーワードによる検索などの手間をかけることなく、手軽に過去のログ情報を閲覧することができる。そして、ユーザが閲覧する過去のログ情報は、前年以前の今日と同じ日付に関するログ情報であるため、完全に無作為に選択されたものではなく、ユーザは、関心があるログ情報を気軽に楽しむことができる。また、この際、従来はメールログＤＢ３００−１やブログログＤＢ３００−２に蓄積されたまま、利用される機会が少なかったコンテンツがユーザへ提供されることになり、コンテンツの再利用を促進することができる。
【００６２】
以上のように、本実施の形態によれば、ユーザによるログ情報の閲覧要求に応じて、前年以前の今日と同じ日付に関連するログ情報の中から実際に閲覧するログ情報の種別を選択させる本日ページをユーザ端末へ送信し、前年以前の今日と同じ日付に関するログ情報をデータベースから取得し、取得されたログ情報の中から本日ページによってユーザが選択したログ情報をユーザ端末へ送信する。このため、ユーザに手間をかけさせることなく、過去のメールやブログなどのコンテンツをユーザへ提供することができ、ログ情報として蓄積されたコンテンツの再利用を促進することができる。
【００６３】
ところで、上記一実施の形態においては、友人情報ＤＢ２０４がユーザＩＤに対応付けてあらかじめ登録された複数の友人ＩＤを記憶するものとした。しかし、ユーザは、友人ＩＤの登録を更新することもあるため、時期によって登録されている友人ＩＤが異なることが考えられる。すなわち、期間ごとに異なる友人ＩＤがユーザＩＤに対応付けて登録される可能性がある。そこで、友人情報ＤＢ２０４は、友人ＩＤごとの登録期間を記憶するようにしても良い。
【００６４】
具体的には、友人情報ＤＢ２０４は、例えば図１０に示すように、ユーザＩＤに対応付けて複数の友人ＩＤとそれぞれの友人ＩＤの登録期間とを記憶している。図１０において、例えばユーザＩＤ「ＡＡＡ」には、友人ＩＤ＃１「ＢＢＢ」が対応付けて記憶されており、友人ＩＤ＃１「ＢＢＢ」の登録期間は、期間＃１「２００３／４／１」以降である。同様に、ユーザＩＤ「ＡＡＡ」に対応する友人ＩＤ＃２「ＣＣＣ」の登録期間は、期間＃２「２００５／９／１〜２００７／３／３１」である。
【００６５】
このような友人情報が友人情報ＤＢ２０４によって記憶されている場合、友人ＩＤ抽出部２０５は、友人ＩＤを抽出する際、年ごとの友人ＩＤを抽出するようにしても良い。すなわち、例えば本日の日付が２００８年４月５日である場合、友人ＩＤ抽出部２０５は、２００３〜２００５年および２００７年の友人ＩＤとして「ＢＢＢ」のみを抽出し、２００６年の友人ＩＤとして「ＢＢＢ」および「ＣＣＣ」を抽出する。これは、２００３〜２００７年の間において、２年前の２００６年４月５日には、友人ＩＤ「ＣＣＣ」がユーザＩＤ「ＡＡＡ」に対応付けて記憶されていたためである。
【００６６】
このように、友人ＩＤ抽出部２０５が年ごとの友人ＩＤを抽出する場合、本日ページ生成部２０６は、年ごとの友人のブログを指定することが可能な本日ページを生成する。すなわち、図８に例示した本日ページのページ構成においては、友人ボタン５０３の直下に友人ＩＤが展開し、さらに各友人ＩＤの下位に西暦年が展開する階層構造が設けられていたが、ここでは、図１１に示すように、友人ボタンの直下に西暦年が展開し、さらに各西暦年の下位に友人ＩＤが展開する階層構造を本日ページに設ける。これにより、ユーザは、年ごとに登録されていた友人ＩＤを選択して、実際に友人となっている期間のみの友人のブログを閲覧することが可能となる。
【００６７】
なお、上記一実施の形態において説明したログ情報提供方法をコンピュータが実行可能な形式で記述したログ情報提供プログラムを生成し、このログ情報提供プログラムをコンピュータに実行させることにより、上述したログ情報配信サーバとして動作させることも可能である。このとき、ログ情報提供プログラムをコンピュータが読み取り可能な記録媒体に記憶させ、記録媒体を用いてコンピュータにログ情報提供プログラムを導入することも可能である。
【産業上の利用可能性】
【００６８】
本発明は、ユーザに手間をかけさせることなく、ログ情報として蓄積されたコンテンツの再利用を促進する場合などに適用することができる。
【図面の簡単な説明】
【００６９】
【図１】一実施の形態に係るネットワーク構成の概要を示すブロック図である。
【図２】一実施の形態に係るメールログＤＢの具体例を示す図である。
【図３】一実施の形態に係るブログログＤＢの具体例を示す図である。
【図４】一実施の形態に係るログ情報配信サーバの要部構成を示すブロック図である。
【図５】一実施の形態に係る友人情報ＤＢの具体例を示す図である。
【図６】一実施の形態に係るログ情報配信サーバの動作を示すフロー図である。
【図７】一実施の形態に係るユーザ端末の表示画面の一例を示す図である。
【図８】一実施の形態に係る本日ページの一例を示す図である。
【図９】一実施の形態に係るログページの一例を示す図である。
【図１０】他の実施の形態に係る友人情報ＤＢの具体例を示す図である。
【図１１】他の実施の形態に係る本日ページの一例を示す図である。
【符号の説明】
【００７０】
２００  ログ情報配信サーバ
２０１  通信Ｉ／Ｆ部
２０２  ユーザＩＤ受付部
２０３  日付管理部
２０４  友人情報ＤＢ
２０５  友人ＩＤ抽出部
２０６  本日ページ生成部
２０７  本人ログ取得部
２０８  友人ログ取得部
２０９  選択受付部
２１０  ログページ生成部
３００  ログ情報ＤＢ群
３００−１  メールログＤＢ
３００−２  ブログログＤＢ
【図１】
0004833248.tif 000002
【図２】
0004833248.tif 000003
【図３】
0004833248.tif 000004
【図４】
0004833248.tif 000005
【図５】
0004833248.tif 000006
【図６】
0004833248.tif 000007
【図７】
0004833248.tif 000008
【図８】
0004833248.tif 000009
【図９】
0004833248.tif 000010
【図１０】
0004833248.tif 000011
【図１１】
0004833248.tif 000012